(57)【要約】      （修正有）【課題】トップエミッション構造としても輝度ムラや電力損失の低減を図ることができる発光装置および照明装置を提供する。【解決手段】発光装置１は、トップエミッション構造を有し、光を放射する発光部１０と、外部から入射した光を透過させる透過部２０と、を具備する。発光部は、第１の方向に伸び、導電性を有する第１の反射部１１と、第１の反射部の上に設けられ、導電性と光の透過性とを有する第１の電極１２と、第１の反射部と、第１の電極と、を覆うように設けられ、絶縁性と光の透過性とを有する第１の絶縁部１５と、第１の絶縁部の上に設けられ、第１の電極と電気的に接続された第１の有機発光部１３と、第１の有機発光部の上に設けられ、導電性と光の透過性とを有する第２の電極１４と、第２の電極の上に設けられ、導電性を有する第３の電極１６と、を具備している。第３の電極は、第２の電極の電気抵抗よりも低い。【選択図】図１
2016157572.tif 000002
【特許請求の範囲】
【請求項１】
トップエミッション構造を有し、光を放射する発光部と；外部から入射した光を透過させる透過部と；を具備した発光装置であって、
前記発光部は、
第１の方向に伸び、導電性を有する第１の反射部と；
前記第１の反射部の上に設けられ、導電性と光の透過性とを有する第１の電極と；
前記第１の反射部と、前記第１の電極と、を覆うように設けられ、絶縁性と光の透過性とを有する第１の絶縁部と；
前記第１の絶縁部の上に設けられ、前記第１の電極と電気的に接続された第１の有機発光部と；
前記第１の有機発光部の上に設けられ、導電性と光の透過性とを有する第２の電極と；
前記第２の電極の上に設けられ、導電性を有する第３の電極と；
を具備し、
前記第３の電極は、前記第２の電極の電気抵抗よりも低い電気抵抗を有し、前記第１の方向と交差する第２の方向に伸びる線状の形態を有している発光装置。
【請求項２】
トップエミッション構造を有し、光を放射する発光部と；外部から入射した光を透過させる透過部と；を具備した発光装置であって、
前記発光部は、
導電性と光の透過性とを有する第４の電極と；
前記第４の電極の上に設けられ、反射性および導電性を有する第５の電極と；
前記第４の電極と、前記第５の電極と、を覆うように設けられ、絶縁性と光の透過性とを有する第２の絶縁部と；
前記第２の絶縁部の上に設けられ、前記第５の電極と電気的に接続された第２の有機発光部と；
前記第２の絶縁部の上に設けられ、導電性を有し、前記第２の有機発光部とは、離隔させて設けられた第６の電極と；
前記第２の有機発光部と、前記第６の電極と、を覆うように設けられ、導電性と光の透過性とを有する第７の電極と；
を具備し、
前記第６の電極は、前記第７の電極の電気抵抗よりも低い電気抵抗を有し、平面視において前記第５の電極とは異なる位置に設けられ、
平面視における前記第６の電極と、前記第５の電極と、の間の領域が、前記透過部となっている発光装置。
【請求項３】
請求項１または２に記載の発光装置を具備した照明装置。
【発明の詳細な説明】
【技術分野】
【０００１】
本発明の実施形態は、発光装置および照明装置に関する。
【背景技術】
【０００２】
有機エレクトロルミネセンス（ＯＥＬ：Organic Electro-Luminescence）により発光する有機発光部が設けられた発光部と、外部から入射した光を透過させる透過部とを備えた発光装置がある。  
また、このような発光装置には、いわゆるボトムエミッション構造を有するものと、トップエミッション構造を有するものとがある。  
トップエミッション構造とすれば、有機発光部から放射された光を反射させる反射部をフォトリソグラフィ法を用いて形成することができる。そのため、光を透過しない反射部の微細化を図ることができる。反射部の微細化を図ることができれば、発光装置を介した視認性を向上させることができる。  
一方、トップエミッション構造とすれば、有機発光部の反射部が設けられる側とは反対側に設けられる電極は、有機発光部から放射された光を透過させる必要がある。そのため、この電極は、ＩＴＯ（Indium Tin Oxide）などのような導電性と光の透過性とを有した材料を用いて形成される。  
ところが、ＩＴＯなどを用いると、アルミニウムなどと比べて電気抵抗が高くなるので、輝度ムラや電力損失が大きくなるという問題がある。
【先行技術文献】
【特許文献】
【０００３】
【特許文献１】特表２０１２−５０６６０４号公報
【発明の概要】
【発明が解決しようとする課題】
【０００４】
本発明が解決しようとする課題は、トップエミッション構造としても輝度ムラや電力損失の低減を図ることができる発光装置および照明装置を提供することである。
【課題を解決するための手段】
【０００５】
実施形態に係る発光装置は、トップエミッション構造を有し、光を放射する発光部と；外部から入射した光を透過させる透過部と；を具備した発光装置である。  
前記発光部は、第１の方向に伸び、導電性を有する第１の反射部と；前記第１の反射部の上に設けられ、導電性と光の透過性とを有する第１の電極と；前記第１の反射部と、前記第１の電極と、を覆うように設けられ、絶縁性と光の透過性とを有する第１の絶縁部と；前記第１の絶縁部の上に設けられ、前記第１の電極と電気的に接続された第１の有機発光部と；前記第１の有機発光部の上に設けられ、導電性と光の透過性とを有する第２の電極と；前記第２の電極の上に設けられ、導電性を有する第３の電極と；を具備している。
前記第３の電極は、前記第２の電極の電気抵抗よりも低い。
【発明の効果】
【０００６】
本発明の実施形態によれば、トップエミッション構造としても輝度ムラや電力損失の低減を図ることができる発光装置および照明装置を提供することができる。
【図面の簡単な説明】
【０００７】
【図１】図１（ａ）は、第１の実施形態に係る発光装置１を例示するための模式断面図である。図１（ｂ）は、図１（ａ）におけるＡ−Ａ線断面図である。
【図２】第２の実施形態に係る発光装置４１を例示するための模式断面図である。
【発明を実施するための形態】
【０００８】
実施形態に係る発明は、トップエミッション構造を有し、光を放射する発光部と；外部から入射した光を透過させる透過部と；を具備した発光装置である。  
前記発光部は、第１の方向に伸び、導電性を有する第１の反射部と；前記第１の反射部の上に設けられ、導電性と光の透過性とを有する第１の電極と；前記第１の反射部と、前記第１の電極と、を覆うように設けられ、絶縁性と光の透過性とを有する第１の絶縁部と；前記第１の絶縁部の上に設けられ、前記第１の電極と電気的に接続された第１の有機発光部と；前記第１の有機発光部の上に設けられ、導電性と光の透過性とを有する第２の電極と；前記第２の電極の上に設けられ、導電性を有する第３の電極と；を具備している。
前記第３の電極は、前記第２の電極の電気抵抗よりも低い電気抵抗を有し、前記第１の方向と交差する第２の方向に伸びる線状の形態を有している。  
この発光装置によれば、トップエミッション構造としても輝度ムラや電力損失の低減を図ることができる。  
また、第３の電極は、発光部の最上層に形成されるため、配設形態や形成方法などに対する自由度を高くすることができる。
【０００９】
実施形態に係る発明は、トップエミッション構造を有し、光を放射する発光部と；外部から入射した光を透過させる透過部と；を具備した発光装置である。  
前記発光部は、導電性と光の透過性とを有する第４の電極と；前記第４の電極の上に設けられ、反射性および導電性を有する第５の電極と；前記第４の電極と、前記第５の電極と、を覆うように設けられ、絶縁性と光の透過性とを有する第２の絶縁部と；前記第２の絶縁部の上に設けられ、前記第５の電極と電気的に接続された第２の有機発光部と；前記第２の絶縁部の上に設けられ、導電性を有し、前記第２の有機発光部とは、離隔させて設けられた第６の電極と；前記第２の有機発光部と、前記第６の電極と、を覆うように設けられ、導電性と光の透過性とを有する第７の電極と；を具備している。  
前記第６の電極は、前記第７の電極の電気抵抗よりも低い電気抵抗を有し、平面視において前記第５の電極とは異なる位置に設けられ、平面視における前記第６の電極と、前記第５の電極と、の間の領域が、前記透過部となっている。  
この発光装置によれば、トップエミッション構造としても輝度ムラや電力損失の低減を図ることができる。  
また、第６の電極は、第２の絶縁部の上に設けられるので、例えば、フォトリソグラフィ法を用いて形成することができる。  
そのため、第６の電極の微細化を図ることが容易となる。
【００１０】
実施形態に係る発明は、上記の発光装置を具備した照明装置である。  
この照明装置によれば、トップエミッション構造としても輝度ムラや電力損失の低減を図ることができる。
【００１１】
以下、図面を参照しつつ、実施の形態について例示をする。なお、各図面中、同様の構成要素には同一の符号を付して詳細な説明は適宜省略する。  
また、本明細書において、「光の透過性を有する」、「光を透過する」とは、光の透過率が１００パーセントの場合に限定されない。「光の透過性を有する」、「光を透過する」とは、少なくとも可視光の波長を有する光に対して透過率がゼロでなければよい。  
また、各図中の矢印Ｘ、Ｙ、Ｚは互いに直交する三方向を表している。例えば、基板２または基板３の主面に対して垂直な方向をＺ方向としている。また、基板２または基板３の主面に対して平行な平面内の１つの方向をＹ方向（第１の方向の一例に相当する）とし、Ｚ方向とＹ方向とに垂直な方向をＸ方向（第２の方向の一例に相当する）としている。
また、本明細書において、「平面視」とは、Ｚ方向から見た場合を表している。
【００１２】
（第１の実施形態）  
図１（ａ）は、第１の実施形態に係る発光装置１を例示するための模式断面図である。
図１（ｂ）は、図１（ａ）におけるＡ−Ａ線断面図である。  
図１（ａ）、（ｂ）に示すように、発光装置１には、基板２、基板３、封止部４、発光部１０、および透過部２０が設けられている。  
図１（ａ）、（ｂ）に例示をした発光装置１は、トップエミッション型の発光装置である。
また、発光装置１は、透過型の発光装置であるため、有機エレクトロルミネセンスによる光Ｌ２を放射する発光部１０と、外部から入射した光Ｌ１を透過させる透過部２０とを備えている。
【００１３】
基板２は、板状を呈している。  
基板２は、絶縁性と光の透過性とを有した材料を用いて形成されている。  
基板３は、基板２に対峙して設けられている。  
基板３は、板状を呈している。  
基板３は、光の透過性を有した材料を用いて形成されている。  
基板２と基板３は、例えば、ナトリウムやカリウムなどのアルカリ成分を含まない無アルカリガラス、ソーダ石灰ガラス（ソーダガラスとも称する）、石英、ポリエチレンテレフタレート、ポリプロピレン、ポリカーボネート、アクリルなどを用いて形成することができる。  
この場合、基板２と基板３は、透湿性の低い材料から形成することが好ましい。  
例えば、基板２と基板３は、無アルカリガラス、ソーダ石灰ガラス、石英などの無機材料から形成することが好ましい。
【００１４】
封止部４は、枠状を呈し、基板２と基板３の間に設けられている。  
封止部４は、基板２および基板３の周縁を封止している。  
封止部４は、例えば、ＵＶ硬化型の樹脂や、フリットなどのガラス材料などから形成することができる。  
この場合、封止部４は、フリットなどのガラス材料のように透湿性の低い材料から形成することが好ましい。  
基板２、基板３、および封止部４により画された空間には、例えば、窒素ガスや、アルゴンガスなどの不活性ガスなどを封入することができる。また、空間内に、吸水機能を持ったアルキル系Ａｌ錯体を含有するシリコーン溶液を充填してもよい。
【００１５】
発光部１０は、反射部１１（第１の反射部の一例に相当する）、電極１２（第１の電極の一例に相当する）、絶縁部１５（第１の絶縁部の一例に相当する）、有機発光部１３（第１の有機発光部の一例に相当する）、電極１４（第２の電極の一例に相当する）、および電極１６（第３の電極の一例に相当する）を有する。  
反射部１１は、基板２の基板３と対峙する側の面に設けられている。  
反射部１１は、例えば、Ｘ方向またはＹ方向に伸び、平面視において線状を呈したものとすることができる。  
図１（ａ）、（ｂ）に例示をした反射部１１は、Ｙ方向に伸び、平面視において線状を呈したものの場合である。
【００１６】
線状を呈する反射部１１は、複数設けることができる。  
この場合、複数の反射部１１の配設形態は、所定の間隔をおいて設けられたものであってもよいし、任意の間隔をおいて設けられたものであってもよい。
【００１７】
反射部１１は、有機発光部１３から放射された光Ｌ２を反射して、光Ｌ２を発光装置１の正面側（光Ｌ２の出射側）に出射させる。すなわち、反射部１１は、リフレクタの機能を有する。  
また、後述するように、反射部１１は、導電性を有し、陽極側の電気抵抗を低減させる機能をも有する。  
すなわち、電極１２と反射部１１とが協働して、陽極として機能する。
【００１８】
反射部１１は、有機発光部１３から放射された光Ｌ２に対する反射率が高く、導電性を有する材料を用いて形成することができる。  
反射部１１は、例えば、銀、アルミニウム、銅、金、これらの合金などの金属を用いて形成することができる。
【００１９】
反射部１１、電極１２、絶縁部１５、有機発光部１３、電極１４、および電極１６が積層された領域、すなわち発光部１０では、有機エレクトロルミネセンスによる発光が生じる。  
一方、反射部１１は、リフレクタの機能を有するため、発光装置１に入射した光Ｌ１が透過しない。  
しかしながら、発光装置１に入射した光Ｌ１は、反射部１１同士の間を透過することができる。  
そのため、透過部２０は、平面視における反射部１１同士の間の領域となる。
【００２０】
電極１２は、反射部１１の上に設けられている。  
この場合、電極１２は、反射部１１と電気的に接続されている。  
電極１２は、平面視において、反射部１１と同じ形態を有している。  
電極１２は、例えば、有機発光部１３に正孔（ホール）を注入するための電極（陽極）とすることができる。  
電極１２は、例えば、導電性と光の透過性とを有した材料を用いて形成することができる。  
電極１２は、例えば、ＩＴＯ（Indium Tin Oxide）、ＺｎＯ（Zinc oxide）、ＩＺＯ（登録商標）、ＩＧＺＯなどを用いて形成することができる。  
反射部１１および電極１２の少なくともいずれかは、封止部４の外側に設けられた図示しない端子と電気的に接続されている。
【００２１】
ここで、電極１２が、導電性と光の透過性とを有する材料を用いて形成された場合には、アルミニウムなどのような良導電性材料を用いる場合と比べて電気抵抗が高くなる。  
そのため、発光装置１の大型化にともない発光装置１の中央部と端部とで輝度が大きく異なるという問題が発生するおそれがある。  
そこで、本実施の形態においては、電極１２と電気的に接続され、電極１２の電気抵抗よりも低い電気抵抗を有する反射部１１を設けることで、陽極側の電気抵抗を低減させるようにしている。
【００２２】
絶縁部１５は、反射部１１および電極１２を覆うようにして基板２の上に設けられている。  
絶縁部１５は、反射部１１および電極１２を絶縁する。  
なお、絶縁部１５の電極１２の上に設けられている部分には、Ｚ方向に貫通する溝部が設けられ、電極１２と有機発光部１３が電気的に接続されるようになっている。  
絶縁部１５は、反射部１１同士の間に入射した光Ｌ１を透過させる。  
絶縁部１５は、膜状を呈し、絶縁性と光の透過性とを有した材料を用いて形成されている。  
絶縁部１５は、例えば、ポリイミドなどの樹脂から形成することができる。
【００２３】
有機発光部１３は、膜状を呈し、絶縁部１５の上に設けられている。  
この場合、有機発光部１３は、絶縁部１５に設けられた溝部の内部にも設けられ、電極１２と電気的に接続されている。  
また、平面視における有機発光部１３の形態は、複数の島状や点状などとすることもできる。すなわち、有機発光部１３は、選択的に設けることができる。  
有機発光部１３の形態を複数の島状や点状などとした場合には、それぞれの有機発光部１３を個別に点灯させるようにしてもよい。例えば、図示しないＴＦＴ（Thin Film transistor）などのスイッチング素子を反射部１１の下方などに設けて、複数の有機発光部１３の一部のみを点灯させたり、全部を点灯させたりすることができる。  
この様にすれば、文字、図形、画像などを表示することも可能となる。
【００２４】
有機発光部１３は、有機エレクトロルミネセンスにより発光する。  
有機発光部１３は、例えば、有機発光ダイオード（ＯＬＥＤ；Organic light-emitting diode）などとすることができる。  
有機発光部１３は、例えば、４，４’−ビス［Ｎ−（２−ナフチル）−Ｎ−フェニル−アミノ］ビフェニル（一般的に、α−ＮＰＤともいう）を含む正孔輸送層、トリス（８−キノリノラト）アルミニウム錯体（一般的に、Ａｌｑ３ともいう）を含む有機発光層、フッ化リチウム（ＬｉＦ）を含む電子注入層を積層したものとすることができる。  
ただし、有機発光部１３の材料や構成は例示をしたものに限定されるわけではなく適宜変更することができる。  
例えば、有機発光部１３は、有機発光層のみからなる単層構造とすることもできるし、フタロシアニンなどを含む正孔注入層、フルオレン誘導体などを含む電子輸送層をさらに有する多層構造とすることもできる。  
また、有機発光部１３は、複数の有機発光層をＨＡＴ（ＣＮ）６などを含む電荷発生層（ＣＧＬ；Charge Generation Layer）を介して直列に接続したマルチフォトンエミッション（ＭＰＥ；Multi-Photo-Emission）構造を有するものとすることもできる。
【００２５】
電極１４は、有機発光部１３の上に設けられている。  
電極１４は、膜状を呈し、有機発光部１３を覆っている。  
この場合、電極１４は、有機発光部１３と電気的に接続されている。  
平面視における電極１４の形態は、例えば、有機発光部１３の形態と同様とすることができる。  
電極１４は、例えば、有機発光部１３に電子を注入するための電極（陰極）とすることができる。  
また、電極１４は、反射部１１同士の間にも設けられているので、入射した光Ｌ１を透過させる。    
また、電極１４は、有機発光部１３から放射された光Ｌ２を透過させる。  
そのため、電極１４は、導電性と光の透過性とを有した材料を用いて形成されている。
電極１４は、例えば、ＩＴＯ（Indium Tin Oxide）、ＺｎＯ（Zinc oxide）、ＩＺＯ（登録商標）、ＩＧＺＯなどを用いて形成することができる。  
この場合、電極１４の材料は、電極１２の材料と同じとすることもできるし、電極１２の材料と異なるものとすることもできる。
【００２６】
電極１６は、電極１４の上に設けられている。  
電極１６は、例えば、Ｘ方向またはＹ方向に伸び、平面視において線状を呈したものとすることができる。  
図１に例示をした電極１６は、Ｘ方向に伸び、平面視において線状を呈したものの場合である。
【００２７】
線状を呈する電極１６は、複数設けることができる。  
この場合、複数の電極１６の配設形態は、所定の間隔をおいて設けられたものであってもよいし、任意の間隔をおいて設けられたものであってもよい。
【００２８】
また、電極１６は、例えば、Ｘ方向に伸びる部分と、Ｙ方向に伸びる部分とを有し、平面視において網目状の形態を有するものとすることもできる。  
この場合、複数の網目の寸法は、同じであってもよいし、異なっていてもよい。  
また、平面視における電極１６の形態は、複数の島状や点状などとすることもできる。すなわち、電極１６は、選択的に設けることができる。  
電極１４および電極１６の少なくともいずれかは、封止部４の外側に設けられた図示しない端子と電気的に接続されている。
【００２９】
ここで、電極１４は、導電性と光の透過性とを有する材料を用いて形成されるため、アルミニウムなどのような良導電性材料を用いる場合と比べて電気抵抗が高くなる。  
そのため、発光装置１の大型化にともない発光装置１の中央部と端部とで輝度が大きく異なったり、電力損失が大きくなったりするおそれがある。  
そこで、本実施の形態においては、電極１４と電気的に接続され、電極１４の電気抵抗よりも低い電気抵抗を有する電極１６を設けることで、陰極側の電気抵抗を低減させるようにしている。  
すなわち、電極１４と電極１６とを協働させて、陰極としている。  
本実施の形態に係る発光装置１とすれば、トップエミッション構造としても輝度ムラや電力損失の低減を図ることができる。
【００３０】
電極１６は、良導電性材料を用いて形成することができる。  
電極１６は、例えば、銀、アルミニウム、銅、金、これらの合金などの金属を用いて形成することができる。  
この場合、電極１６の材料は、反射部１１の材料と同じとすることもできるし、反射部１１の材料と異なるものとすることもできる。
【００３１】
電極１６の形成方法には特に限定はなく、例えば、スパッタリング法や蒸着法などを用いて形成することができる。  
この場合、電極１６は、発光部１０の最上層に形成されるため、配設形態や形成方法などに対する自由度を高くすることができる。
【００３２】
また、電極１６は、反射部１１同士の間にも設けられるので、金属からなる電極１６の幅寸法Ｗを長くしすぎたり、電極１６のピッチ寸法Ｐを短くしすぎたりすると、発光装置１に入射した光Ｌ１の透過が妨げられるおそれがある。  
発光装置１に入射した光Ｌ１の透過が妨げられると、発光装置１を介した視認性が悪くなるおそれがある。  
そこで、本実施の形態においては、電極１６の幅寸法Ｗが、５０μｍ以上２００μｍ以下となるようにしている。  
また、電極１６のピッチ寸法Ｐが、３００μｍ以上１０００μｍ以下となるようにしている。
【００３３】
（第２の実施形態）  
図２は、第２の実施形態に係る発光装置４１を例示するための模式断面図である。  
図２に例示をした発光装置４１は、トップエミッション型の発光装置である。  
また、発光装置４１は、透過型の発光装置である。  
図２に示すように、発光装置４１には、基板２、基板３、封止部４、発光部５０、および透過部２０が設けられている。
【００３４】
発光部５０は、電極５２（第４の電極の一例に相当する）、電極５１（第５の電極の一例に相当する）、絶縁部５５（第２の絶縁部の一例に相当する）、有機発光部５３（第２の有機発光部の一例に相当する）、電極５６（第６の電極の一例に相当する）、および電極５４（第７の電極の一例に相当する）を有する。  
電極５２は、膜状を呈し、基板２の基板３と対峙する側の面に設けられている。  
電極５２は、例えば、導電性と光の透過性とを有した材料を用いて形成することができる。  
電極５２は、例えば、ＩＴＯ（Indium Tin Oxide）、ＺｎＯ（Zinc oxide）、ＩＺＯ（登録商標）、ＩＧＺＯなどを用いて形成することができる。
【００３５】
電極５１は、電極５２の上に設けられている。  
電極５１は、例えば、Ｘ方向またはＹ方向に伸び、平面視において線状を呈したものとすることができる。  
図２に例示をした電極５１は、Ｙ方向に伸び、平面視において線状を呈したものの場合である。
【００３６】
線状を呈する電極５１は、複数設けることができる。  
この場合、複数の電極５１の配設形態は、所定の間隔をおいて設けられたものであってもよいし、任意の間隔をおいて設けられたものであってもよい。
【００３７】
電極５１は、反射性を有し、有機発光部５３から放射された光Ｌ２を反射して、光Ｌ２を発光装置４１の正面側（光Ｌ２の出射側）に出射させる。すなわち、電極５１は、リフレクタの機能を有する。  
また、後述するように、電極５１は、導電性を有し、陽極側の電気抵抗を低減させる機能をも有する。  
すなわち、電極５２と電極５１とを協働させて、陽極としている。
【００３８】
電極５１は、有機発光部５３から放射された光Ｌ２に対する反射率が高い。また、電極５１は、例えば、有機発光部５３に電子（エレクトロン）を注入するための電極（陰極）とすることが出来る。
電極５１は、例えば、銀、アルミニウム、銅、金、これらの合金などの金属を用いて形成することができる。  
電極５１および電極５２の少なくともいずれかは、封止部４の外側に設けられた図示しない端子と電気的に接続されている。
【００３９】
電極５１は、平面視において線状となるため、長尺方向において抵抗の影響が大きくなる。そのため、電極５２を設け、電極５１と電極５２を電気的に接続することで、陰極の電気抵抗を低減させるようにしている。
【００４０】
電極５２、電極５１、絶縁部５５、有機発光部５３、電極５６、および電極５４が積層された領域、すなわち発光部５０では、有機エレクトロルミネセンスによる発光が生じる。
一方、電極５１は、リフレクタの機能を有するため、発光装置４１に入射した光Ｌ１が透過しない。  
また、発光装置４１に入射した光Ｌ１は、電極５６を透過しない。  
しかしながら、発光装置４１に入射した光Ｌ１は、電極５１同士の間であって、電極５６が設けられていない領域を透過することができる。  
そのため、透過部２０は、平面視における電極５１と電極５６との間の領域となる。
【００４１】
絶縁部５５は、電極５１および電極５２を覆うように設けられている。  
絶縁部５５は、電極５１および電極５２を絶縁する。  
なお、絶縁部５５の電極５１の上に設けられている部分には、Ｚ方向に貫通する溝部が設けられ、有機発光部５３と電極５１とが電気的に接続されるようになっている。  
絶縁部５５は、電極５１同士の間に入射した光Ｌ１を透過させる。  
絶縁部５５は、膜状を呈し、絶縁性と光の透過性とを有した材料を用いて形成されている。  
絶縁部５５は、例えば、ポリイミドなどの樹脂から形成することができる。
【００４２】
有機発光部５３は、膜状を呈し、絶縁部５５の上に設けられている。  
この場合、有機発光部５３は、絶縁部５５に設けられた溝部の内部にも設けられ、電極５１と電気的に接続されている。  
また、有機発光部５３の電極５６が設けられる部分には、Ｚ方向に貫通する溝部が設けられている。そして、有機発光部５３の溝部の内部には電極５６が設けられ、電極５６が有機発光部５３と離隔させて設けられている。
【００４３】
また、平面視における有機発光部５３の形態は、複数の島状や点状などとすることもできる。すなわち、有機発光部５３は、選択的に設けることができる。  
有機発光部５３の形態を複数の島状や点状などとした場合には、それぞれの有機発光部５３を個別に点灯させるようにしてもよい。例えば、図示しないＴＦＴ（Thin Film transistor）などのスイッチング素子を電極５２の下方などに設けて、複数の有機発光部５３の一部のみを点灯させたり、全部を点灯させたりすることができる。  
この様にすれば、文字、図形、画像などを表示することも可能となる。
【００４４】
なお、有機発光部５３は、例えば、有機発光ダイオードなどとすることができ、その材料や構成は前述した有機発光部１３と同様とすることができる。
【００４５】
電極５６は、絶縁部５５の上に設けられている。  
この場合、電極５６は、平面視において電極５１とは異なる位置に設けられている。
電極５６は、例えば、Ｘ方向またはＹ方向に伸び、平面視において線状を呈したものとすることができる。  
図２に例示をした電極５６は、Ｙ方向に伸び、平面視において線状を呈したものの場合である。
【００４６】
線状を呈する電極５６は、複数設けることができる。  
この場合、複数の電極５６の配設形態は、所定の間隔をおいて設けられたものであってもよいし、任意の間隔をおいて設けられたものであってもよい。
【００４７】
また、平面視における電極５６の形態は、複数の島状や点状などとすることもできる。すなわち、電極５６は、選択的に設けることができる。  
電極５４は、膜状を呈し、有機発光部１３および電極５６を覆うように設けられている。
この場合、電極５４は、有機発光部５３および電極５６と電気的に接続されている。  
電極５４は、例えば、有機発光部５３に電子を注入するための電極（陽極）とすることができる。  
また、電極５４は、電極５１同士の間にも設けられているので、入射した光Ｌ１を透過させる。    
また、電極５４は、有機発光部５３から放射された光Ｌ２を透過させる。  
そのため、電極５４は、導電性と光の透過性とを有した材料を用いて形成されている。
電極５４は、例えば、ＩＴＯ（Indium Tin Oxide）、ＺｎＯ（Zinc oxide）、ＩＺＯ（登録商標）、ＩＧＺＯなどを用いて形成することができる。  
この場合、電極５４の材料は、電極５２の材料と同じとすることもできるし、電極５２の材料と異なるものとすることもできる。  
電極５４および電極５６の少なくともいずれかは、封止部４の外側に設けられた図示しない端子と電気的に接続されている。
【００４８】
ここで、電極５４は、導電性と光の透過性とを有する材料を用いて形成されるため、アルミニウムなどのような良導電性材料を用いる場合と比べて電気抵抗が高くなる。  
そのため、発光装置４１の大型化にともない発光装置４１の中央部と端部とで輝度が大きく異なったり、電力損失が大きくなったりするおそれがある。  
そこで、本実施の形態においては、電極５４と電気的に接続され、電極５４の電気抵抗よりも低い電気抵抗を有する電極５６を設けることで、陽極側の電気抵抗を低減させるようにしている。  
すなわち、電極５４と電極５６とを協働させて、陽極としている。
【００４９】
電極５６は、良導電性材料を用いて形成することができる。  
電極５６は、例えば、銀、アルミニウム、銅、金、これらの合金などの金属を用いて形成することができる。  
この場合、電極５６の材料は、電極５１の材料と同じとすることもできるし、電極５１の材料と異なるものとすることもできる。
【００５０】
電極５６は、絶縁部５５の上に設けられるので、例えば、フォトリソグラフィ法を用いて形成することができる。  
そのため、電極５６の微細化を図ることが容易となる。
【００５１】
また、電極５６は、電極５１同士の間にも設けられるので、金属からなる電極５６の幅寸法を長くしすぎたり、電極５６のピッチ寸法を短くしすぎたりすると、発光装置４１に入射した光Ｌ１の透過が妨げられるおそれがある。  
発光装置４１に入射した光Ｌ１の透過が妨げられると、発光装置４１を介した視認性が悪くなるおそれがある。  
そこで、本実施の形態においては、電極５６の幅寸法が、５μｍ以上１０００μｍ以下となるようにしている。  
また、電極５６のピッチ寸法が、５μｍ以上１０００μｍ以下となるようにしている。
【００５２】
（第３の実施形態）  
次に、第３の実施形態に係る照明装置について例示をする。  
第３の実施形態に係る照明装置は、前述した発光装置１または発光装置４１を備えている。  
第３の実施形態に係る照明装置は、例えば、自動車などの移動体に設けられる照明装置、住宅などの建築物に設けられる照明装置、屋外施設に設けられる照明装置、読書灯などの器具に設けられる照明装置とすることができる。
【００５３】
例えば、第３の実施形態に係る照明装置が自動車の窓などに設けられた場合には、昼間は外光を取り入れることができ、夜間などに車内を明るくしたい場合には照明装置として用いることができる。そのため、輝度ムラや電力損失の低減を図ることができるとともに、外光を利用することができるので、省エネルギーとなる。また、自動車の窓などと一体化できるので、デザイン的、スペース的にも優れたものとすることができる。
【００５４】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５５】
１  発光装置、２  基板、３  基板、４  封止部、１０  発光部、１１  反射部、１２  電極、１３  有機発光部、１４  電極、１５  絶縁部、１６  電極、２０  透過部、４１  発光装置、５０  発光部、５１  電極、５２  電極、５３  有機発光部、５４  電極、５５  絶縁部、５６  電極
【図１】
2016157572.tif 000003
【図２】
2016157572.tif 000004